(57)【要約】【課題】１枚の原稿中における画像の色が変化することを抑制することができる原稿読取装置及び画像処理装置を提供する。【解決手段】原稿読取装置１００は、原稿に向けて光を照射するＬＥＤ照射ヘッド２５０と、ＬＥＤ照射ヘッド２５０から照射され、原稿で反射された光を読み取って画像データを生成する光電変換部材２２０と、副走査側基準白色板１５２と、副走査側基準白色板１５２をＬＥＤ照射ヘッド２５０で読み取った場合の色の変化に応じて、光電変換部材２２０で生成された画像データを補正する色補正回路３１０Ｒ、３１０Ｇ、３１０Ｂとを有する。【選択図】図９
2010079028.tif 000002
【特許請求の範囲】
【請求項１】
原稿に向けて光を照射する光照射装置と、
前記光照射装置から照射され、原稿で反射された光を読み取って画像データを生成する画像データ生成手段と、
基準色で形成された基準部と、
前記基準部を前記画像データ生成手段で読み取った場合の色の変化に応じて、前記画像データ生成手段で生成された画像データを補正する補正手段と、
を有する原稿読取装置。
【請求項２】
前記補正手段は、前記基準部を読み取って生成される参照データに関連付けられた複数の補正データが格納された格納部を有し、
参照データに応じて、前記格納部に格納された複数の補正データの中から１つの補正データを選択し、選択された補正データを用いて画像データを補正する請求項１記載の原稿読取装置。
【請求項３】
前記格納部は、色ごとに補正データが格納されていて、色ごとに画像データを補正する請求項２記載の原稿読取装置。
【請求項４】
前記光照射装置は、ＬＥＤアレイを有する請求項１乃至３いずれか記載の原稿読取装置。
【請求項５】
原稿に向けて光を照射する光照射装置と、
前記光照射装置から照射され、原稿で反射された光を読み取って画像データを生成する画像データ生成手段と、
基準色で形成された基準部と、
前記基準部を前記画像データ生成手段で読み取った場合の色の変化に応じて、前記画像データ生成手段で生成された画像データを補正する補正手段と、
前記補正手段で補正された画像データを処理する画像処理手段と、
を有する画像処理装置。
【発明の詳細な説明】
【技術分野】
【０００１】
本発明は、原稿読取装置及び画像処理装置に関する。
【背景技術】
【０００２】
特許文献１には、光源と、この光源の照射による基準光量、及び原稿に対する反射又は透過による１色以上の光量を検出する光量検出手段と、この光量検出手段が検出した基準光量に基づいて、原稿濃度の補正量を設定する補正量設定手段と、この補正量設定手段が設定する補正量に応じて、前記光量検出手段が原稿に対する光量を検出した結果を画像データに変換する変換手段と、前記光量検出手段が原稿に対する光量とともに検出する基準光量に基づいて、前記補正量設定手段が新たに補正量を設定するよう制御する制御手段とを有する原稿読取装置が開示されている。
【０００３】
【特許文献１】特開２００７−２０８６７２号公報
【発明の開示】
【発明が解決しようとする課題】
【０００４】
本発明は、１枚の原稿中における画像の色が変化することを抑制することができる原稿読取装置及び画像処理装置を提供することを目的とする。
【課題を解決するための手段】
【０００５】
請求項１に係る本発明は、原稿に向けて光を照射する光照射装置と、前記光照射装置から照射され、原稿で反射された光を読み取って画像データを生成する画像データ生成手段と、基準色で形成された基準部と、前記基準部を前記画像データ生成手段で読み取った場合の色の変化に応じて、前記画像データ生成手段で生成された画像データを補正する補正手段と、を有する原稿読取装置である。
【０００６】
請求項２に係る本発明は、前記補正手段は、前記基準部を読み取って生成される参照データに関連付けられた複数の補正データが格納された格納部を有し、参照データに応じて、前記格納部に格納された複数の補正データの中から１つの補正データを選択し、選択された補正データを用いて画像データを補正する請求項１記載の原稿読取装置である。
【０００７】
請求項３に係る本発明は、前記格納部は、色ごとに補正データが格納されていて、色ごとに画像データを補正する請求項２記載の原稿読取装置である。
【０００８】
請求項４に係る本発明は、前記光照射装置は、ＬＥＤアレイを有する請求項１乃至３いずれか記載の原稿読取装置である。
【０００９】
請求項５に係る本発明は、原稿に向けて光を照射する光照射装置と、前記光照射装置から照射され、原稿で反射された光を読み取って画像データを生成する画像データ生成手段と、基準色で形成された基準部と、前記基準部を前記画像データ生成手段で読み取った場合の色の変化に応じて、前記画像データ生成手段で生成された画像データを補正する補正手段と、前記補正手段で補正された画像データを処理する画像処理手段と、を有する画像処理装置である。
【発明の効果】
【００１０】
請求項１に係る本発明によれば、１枚の原稿中における画像の色が変化することを抑制することができる原稿読取装置を提供することを目的とする。
【００１１】
請求項２に係る本発明によれば、請求項１に係る本発明が奏する効果を奏することに加えて、処理ごとに補正データを生成する場合と比較して補正を短時間で行うことができる原稿読取装置を提供することができる。
【００１２】
請求項３に係る本発明によれば、請求項１又は２に係る本発明が奏する効果に加えて、複数の色ごとに、画像の色が変化することを抑制することができる原稿読取装置を提供することができる。
【００１３】
請求項４に係る本発明によれば、請求項１乃至３いずれかに係る本発明が奏する効果を奏することに加えて、例えばキセノンランプ等を光源に用いる場合と比較して、電力の消費を低減することができる原稿読取装置を提供することができる。
【００１４】
請求項５に係る本発明によれば、１枚の原稿中における画像の色が変化することを抑制することができる画像処理装置を提供することを目的とする。
【発明を実施するための最良の形態】
【００１５】
次に本発明の実施形態を図面に基づいて説明する。
図１には、本発明の実施形態に係る画像処理装置１０の概要が示されている。
図１に示されるように、画像処理装置１０は原稿読取装置１００と、画像処理部として用いられ、原稿読取装置１００で生成された画像データに基づいて画像を形成する画像形成部１２とを有する。画像形成部１２は、例えば電子写真方式のもので、シートが積載された状態で収納されるシート収納容器１６を有し、シート収納容器１６からシート搬送路２０に供給されたシートに画像を形成するようになっている。
【００１６】
画像形成部１２は、画像形成部本体１４を有し、画像形成部本体１４内に、例えば感光体ドラムが用いられる像保持体２２と、像保持体２２を一様に帯電する帯電器２４と、帯電器２４により一様に帯電された像保持体２２に潜像を形成する露光装置２６と、露光装置２６により形成された像保持体２２上の潜像をトナーで可視化する現像装置２８と、現像装置２８により形成されたトナー像を、中間転写体として用いられる中間転写ベルト３０に転写する１次転写装置３２と、像保持体２２に残ったトナーをクリーニングする感光体クリーナ３４とが装着されている。
【００１７】
また、画像形成部本体１４内には、中間転写ベルト３０に転写されたトナー像をシートに転写する２次転写装置３８と、シートに転写されたトナー像を該シートに定着する定着装置４０と、中間転写ベルト３０をクリーニングする中間転写ベルトクリーナ４４とが装着されている。また、画像形成部本体１４の例えば右側面側には、画像形成がなされたシートが排出される排出部４２が装着されている。
【００１８】
露光装置２６は、例えばレーザ走査方式のもので、原稿読取装置１００で生成された画像データに基づいて、レーザのオンオフ信号を出力する。現像装置２８は、例えばロータリ式のもので、Ｙ，Ｍ，Ｃ，Ｋ４色の現像器３６ａ，３６ｂ，３６ｃ，３６ｄを、例えば周囲に配置されるように有し、各色を現像するときに像保持体２２に対峙するよう回転する。１次転写装置３２は例えばコロトロンから構成され、１次転写装置３２により４色のトナー像が中間転写ベルト３０に転写される。中間転写ベルト３０に転写されたトナー像は、２次転写装置３８によりシートに転写され、このシートが定着装置４０に送られ、定着装置４０によりトナー像がシートに定着され、トナー像が定着されたシートが排出部４２に排出される。中間転写ベルト３０に残ったトナーは中間転写ベルトクリーナ４４により掻き落される。
【００１９】
シート搬送路２０には、レジストロール４６が配置されている。レジストロール４６は、供給されたシートを一時停止させ、中間転写ベルト３０にトナー像が形成されるタイミングと同期してシートを２次転写装置３８にシートを供給するように制御される。
【００２０】
原稿読取装置１００は、光を透過する透過部として用いられ、光を透過する材質である例えばガラスから形成されるプラテン部材１０６有し、原稿Ｄが置かれる読取台１０４と、読取台１０４に開閉可能に設けられたプラテンカバー部１１０とを有している。
【００２１】
プラテンカバー部１１０内には、原稿Ｄを自動で搬送する原稿搬送装置１６０が装着されている。原稿読取装置１００は、原稿搬送装置１６０により搬送中の原稿Ｄを流し読みする機能と、プラテン部材１０６上に静止している原稿Ｄを読み取る機能とを備えている。
【００２２】
図２には原稿読取装置１００が示されている。
図２に示されるように、原稿読取装置１００は、読取前の原稿がセットされる原稿台１６２と、画像が読み取られた後の原稿が排出される排出台１６６とを有する。また、原稿読取装置１００内には、原稿台１６２から、排出台１６６まで原稿を搬送する搬送路１６８が形成されている。また、原稿読取装置１００は、搬送路１６８に沿って、原稿搬送方向上流側から順に、ピックアップロール１７２、搬送ロール１７４、搬送ロール１７６、レジストロール１７８、搬送ロール１８０、及び排出ロール１８２が設けられている。
【００２３】
ピックアップロール１７２は、原稿送り時に下降し、原稿台１６２に載置された原稿をピックアップする。搬送ロール１７４、１７６、１８０は、原稿を下流側に搬送する。排出ロール１８２は、原稿を排出台１６６に排出する。レジストロール１７８は、原稿の先端部を一時的に停止させて、読取動作とタイミング合致するように原稿先端部の移動を再開させる。
【００２４】
また、搬送路１６８に沿って、搬送中の原稿を流し読みする際に原稿を読み取る位置である原稿読取位置１８６が設けられている。原稿読取位置１８６は、レジストロール１７８と搬送ロール１８０との間に配置されている。
【００２５】
また、読取台１０４内には、読取ユニット２００が装着されている。読取ユニット２００は、図２に実線で示す位置である原稿読取位置１８６の下方に静止して原稿搬送装置１６０により搬送中の原稿Ｄを流し読みする。また、読取ユニット２００は、図２に矢印で示すように、原稿の副走査方向（図２において左側から右側）をスキャン方向として、読取台１０４内をスキャン方向に移動することで、プラテン部材１０６の上に置かれた原稿を読み取る。
【００２６】
プラテン部材１０６の上向きの面には、所定の幅で主走査方向においてプラテン部材１０６を覆うように、主走査側基準白色板１５０が設けられている。主走査側基準白色板１５０には、後述するＬＥＤ照射ヘッド２５０から光が照射され、照射された光を反射する。また、主走査側基準白色板１５０は、少なくとも光を反射する反射面が基準となる白色となっている。
【００２７】
図３には、読取ユニット２００が示されている。
図３に示されるように、読取ユニット２００は、読取ユニット本体２０２を有し、読取ユニット本体２０２の上向きの面には、例えばガラス等の光を透過する材料から形成される光透過性部材２０４が装着されている。また、読取ユニット本体２０２内には、原稿に向けて光を照射する照射部として用いられるＬＤＥ（Ｌｉｇｈｔ  Ｅｍｉｔｔｉｎｇ  Ｄｉｏｄｅ）照射ヘッド２５０、２５０と、ＬＤＥ照射ヘッド２５０、２５０とからの光を結像させる結像部として用いられるレンズアレイ１８８と、レンズアレイ１８８で結像された光が入射する光電変換部材２２０とが装着されている。
【００２８】
光電変換部材２２０は、ＬＥＤ照射ヘッド２５０、２５０から照射され、原稿で反射された光を読み取って画像データを生成する画像データ生成手段として用いられていて、ＣＣＤアレイが用いられ、配電等に用いられる基板２２２を有し、基板２２２のレンズアレイ１８８側の面には、原稿の主走査方向に少なくとも最大サイズの原稿の幅に渡って複数の受光センサ２２６が直線状に装着されている。原稿読取装置１００は、カラー画像を読み取るものであるため、光電変換部材２２０として、ＲＧＢ３色用の３列一組の受光センサ２２６を有するものが用いられていて、ＲＧＢそれぞれのフィルタ（原色フィルタ）が設けられたフォトダイオードによって画素単位のＲＧＢそれぞれの光量に対応するアナログの電気信号を出力する。
【００２９】
尚、以上の説明では、読取ユニット２００として、ＬＥＤ照射ヘッド２５０を２つ有し、２つのＬＥＤヘッド２５０、２５０によって互いに異なる２方向から光を照射するものを説明したが、読取ユニット２００として、ＬＥＤ照射ヘッド２５０を１つ有し、１つのＬＥＤ照射ヘッド２５０によって、一方向から光が照射されるものを用いても良い。
【００３０】
図４には、ＬＥＤ照射ヘッド２５０が示されている。
図４に示されるように、ＬＥＤ照射ヘッド２５０は、ＬＥＤ基板２５２を有し、原稿の主走査方向に少なくとも最大サイズの原稿の幅に渡って複数のＬＥＤチップ２６０がアレイ状に装着されている。ＬＥＤチップ２６０は、それぞれが発光部２６２を有する。
【００３１】
図５には、ＬＥＤチップ２６０の断面が示されている。
ＬＥＤチップ２６０は、ＬＥＤ本体として用いられるパッケージ２６４を有し、パッケージ２６４内に、発光部２６２が設けられている。また、パッケージ２６４は、少なくとも一部分が、光を透過することができる透過部２６６となっていて、発光部２６２からの光が透過部２６６を通過してパッケージ２６４の外部へ照射される。透過部２６６としては、黄色のカラーフィルタが用いられる。また、透過部２６６としては、光を透過する透明な物質に蛍光体を塗布したものを用いても良い。この場合、蛍光体としては、光に反応し黄色を発光するものが用いられ、蛍光体は、例えば、パッケージ２６４の内側に塗布される。
【００３２】
発光部２６２からは青色の光が照射される。また、発光部２６２からの光は、透過部２６６を通過して白色光としてパッケージ２６４外に照射されるようになっている。
【００３３】
発光部２６２は、発光により発熱する。このため、発光部２６２が発光を開始した時点から、パッケージ２６４、透過部２６６、及びＬＥＤ照射ヘッド２５０の基板２５２は、発光部２６２からの熱によって加熱されて温度が上昇する。ここで、透過部２６６の光透過率は温度変化に応じて変化する。このため、透過部２６６が発光部２６２からの熱で昇温すると、黄色のフィルタとして機能に変化が生じて、透過部２６６を通過してパッケージ２６４外に照射される光の色に変化が生じる。この光の色の変化は、１枚の原稿の先端部から後端部までを読み取るために、発光部２６２が発光を続ける間にも生じる。このため、ＬＥＤ照射ヘッド２５０から光を照射して原稿を読み取った場合、原稿の先端部側と、原稿の後端部側とで色味が変化する虞がある。
【００３４】
図６には、プラテンカバー部１１０を開放した状態の読取台１０４が示されている。
図６に示されるように、プラテン部材１０６の上向きの面には、先述の主走査側基準白色板１５０が設けられている。図６における二点鎖線で示す領域は、プラテン部材１０６上に、Ａ４の原稿、Ｂ５の原稿、及びＡ３の原稿が、それぞれ置かれる位置を示している。
【００３５】
また、図６に示されるように、主走査方向において、原稿が配置される位置の外側には、プラテン部材１０６を覆うように、副操作方向に延びる副走査側基準白色板１５２が設けられている。副走査側基準白色板１５２は、基準色で形成された基準部として用いられていて、副走査側基準白色板１５２にはＬＥＤ照射ヘッド２５０から光が照射され、照射された光を反射する。また、副走査側基準白色板１５２は、光を反射する反射面面である下向きの面が基準色として用いられ白色となっている。
【００３６】
以上のように構成された原稿読取装置１００では、プラテン部材１０６に置かれた原稿を読み取る場合には、ＬＤＥ照射ヘッド２５０からの光を原稿に照射しながら読取ユニット２００が移動し、原稿全面に対応する反射光を光電変換部材２２０が順次受光する。
また、原稿読取装置１００が原稿を流し読みする場合には、原稿読取位置１８６において、搬送される原稿による反射光を読取ユニット２００が原稿ごとに受光する。
【００３７】
図７には、原稿読取装置１００の構成がブロック図として示されている。
図７に示されるように、原稿読取装置１００は、先述の光電変換部材２２０と、サンプルホールド回路３０２Ｒ、３０２Ｇ、３０２Ｂと、出力増幅回路３０４Ｒ、３０４Ｇ、３０４Ｂと、ＡＤ変換回路３０６Ｒ、３０６Ｇ、３０６Ｂと、シェーディング補正回路３０８Ｒ、３０８Ｇ、３０８Ｂと、色補正回路３１０Ｒ、３１０Ｇ、３１０Ｂと、出力遅延回路３２０Ｇ、３２０Ｂと、画像処理回路３３０と、ＣＰＣ３４０と、駆動回路３５０と、格納部３６０とを有する。
【００３８】
ここで、サンプルホールド回路３０２Ｒ、出力増幅回路３０４Ｒ、ＡＤ変換回路３０６Ｒ、シェーディング補正回路３０８Ｂ、及び色補正回路３１０Ｂは、光電変換部材２２０で得られたアナログ画像信号Ｒを処理する信号系として用いられている。また、サンプルホールド回路３０２Ｇ、出力増幅回路３０４Ｇ、ＡＤ変換回路３０６Ｇ、シェーディング補正回路３０８Ｇ、色補正回路３１０Ｇ及び出力遅延回路３２０Ｇは、光電変換部材２２０で得られたアナログ画像信号Ｇを処理する信号系として用いられている。また、サンプルホールド回路３０２Ｂ、出力増幅回路３０４Ｂ、ＡＤ変換回路３０６Ｂ、シェーディング補正回路３０８Ｂ、色補正回路３１０Ｂ及び出力遅延回路３２０Ｂは、光電変換部材２２０で得られたアナログ画像信号Ｇを処理する信号系として用いられている。
【００３９】
光電変換部材２２０は、駆動回路３５０からの駆動信号によって駆動し、原稿を読みとり、アナログ画像信号Ｒ、Ｇ、Ｂを、サンプルホールド回路３０２Ｒ、３０２Ｇ、３０２Ｂに出力する。
【００４０】
サンプルホールド回路３０２Ｒ、３０２Ｇ、３０２Ｂは、光電変換部材２２０から得られるアナログ画像信号Ｒ、Ｇ、Ｂをサンプリングする。出力増幅回路３０４Ｒ、３０４Ｇ、３０４Ｂは、アナログ画像信号Ｒ、Ｇ、Ｂを、それぞれ適正なレベルに増幅する。ＡＤ変換回路３０６Ｒ、３０６Ｇ、３０６Ｂは、アナログ画像信号Ｒ、Ｇ、Ｂを、デジタル画像データＲ、Ｇ、Ｂに、それぞれ変換する。
【００４１】
シェーディング補正回路３０８Ｒ、３０８Ｇ、３０８Ｂは、ＡＤ変換回路３０６Ｒ、３０６Ｇ、３０６Ｂからのデジタル画像データＲ、Ｇ、Ｂに対し、光電変換部材２２０が有する各色のラインセンサの感度バラツキや光学系の光量分布特性に対応した補正を施す。
【００４２】
色補正回路３１０Ｒ、３１０Ｇ、３１０Ｂは、シェーディング補正回路３０８Ｒ、３０８Ｇ、３０８Ｂから出力される画像データＲ、Ｇ、Ｂに対して、ＬＥＤ照射ヘッド２５０から照射される光の温度変化に基づく色変化によって生じる画像データＲ、Ｇ、Ｂの色変化を低減させるように補正を施す。より具体的には、色補正回路３１０Ｒ、３１０Ｇ、３１０Ｂは、副走査側基準白色板１５２へＬＥＤ照射ヘッド２５０から光を照射し、副走査側基準白色板１５２で反射された光に基づいて生成された生成された参照データに応じて、格納部３６０に格納された補正データ中から１つの補正データを選択し、選択された補正データを用いて、シェーディング補正回路３０８Ｒ、３０８Ｇ、３０８Ｂから出力された画像データＲ、Ｇ、Ｂに対して補正を施す。
【００４３】
出力遅延回路３２０Ｇ、３２０Ｂは、色補正回路３１０Ｇ、３１０Ｂから出力される画像データＧ、Ｂをそれぞれ４ライン相当、８ライン相当の遅延時間だけ遅延させ、画像データＲと同相の画像データとして出力する。
【００４４】
画像処理回路３３０は、色補正回路３１０Ｒから入力される画像データＲ、出力遅延回路３２０Ｇから入力される画像データＧ、及び出力遅延回路３２０Ｂから入力される画像データＢを、Ｌ＊、ａ＊、ｂ＊表色系の画像データである画像データＬ＊、画像データａ＊、画像データｂ＊に変換し、変換された画像データＬ＊、画像データａ＊、画像データｂ＊に対し、画像処理装置１０が必要とする画像処理である、例えば拡大縮小処理、地肌除去処理、２値化処理などを施し、画像形成部１２（図１参照）に出力する。
【００４５】
格納部３６０は、副走査側基準白色板１５２から反射した光を読み取って生成された参照データに関連付けられた主走査方向における位置ごとの補正データを格納する。格納部３６０に格納される補正データの詳細は後述する。
【００４６】
駆動回路３５０は、光電変換部材２２０に駆動信号を送信する。
【００４７】
ＣＰＵ３４０は、制御部として用いられていて、駆動回路３５０によって行われる光電変換部材２２０の駆動の周期を設定するとともに、サンプルホールド回路３０２Ｒ、３０２Ｇ、３０２Ｂ、出力増幅回路３０４Ｒ、３０４Ｇ、３０４Ｂ、ＡＤ変換回路３０６Ｒ、３０６Ｇ、３０６Ｂ、シェーディング補正回路３０８Ｒ、３０８Ｇ、３０８Ｂ、色補正回路３１０Ｒ、３１０Ｇ、３１０Ｂ及び画像処理回路３３０を制御する。
【００４８】
図８は、格納部３６０に格納された補正データを説明する図である。
図８においては、補正データの例として補正データ１と、補正データ２とが示されているが、格納部３６０は、ルックアップテーブルを有し、そのルックアップテーブルに、副走査側基準白色板１５２から反射された光を読み取って生成された参照データの値ごとに、用いる補正データがテーブルとして格納されている。副走査側基準白色板１５２は、少なくともＬＥＤ照射ヘッド２５０から照射される側の面が白色である。このため、ＬＥＤ照射ヘッド２５０から副走査側基準白色板１５２に照射される光が白色色であれば、色補正回路３１０Ｒ、３１０Ｇ、３１０Ｂに入力される画像データは、白の画像を形成するものとなる。この場合、格納部３６０に格納された補正データを用いた画像データの補正は施されない。
【００４９】
これに対して、例えば、１枚の原稿の読み取り途中でＬＤＥチップ２６０の透過部２６６の温度が上昇し、透過部２６６の光の透過率が変化すると、発光部２６２から照射された光が透過部２６６を通過し原稿読取初めの白色光と差が生じる。このような場合、参照データは白画像を形成するものとならない。参照データは白画像を形成するものでない場合、画像データが白画像を形成するものとなるように、格納部３６０に格納された補正データを用いて画像データが補正される。
【００５０】
より具体的には、色補正回路３１０は、副走査側基準白色板１５２で反射された光に基づいて生成された画像データを参照データとして、参照データと白の画像を形成する画像データとを比較し、両者に予め定められた値以上の差がある場合に、格納部３６０に格納されたデータの中から用いる補正データを選択し、選択した補正データを用いて画像データを補正する。
【００５１】
図８に示されるように、補正データは、色ごとの複数の補正データが格納されている。より具体的には画像データＲ、Ｇ、Ｂに用いられるものが、それぞれ格納されている。画像データは、これらの複数の補正データを用いて色ごとに補正される。
【００５２】
図８において、横軸は、主走査方向における位置を画素を単位として示している。図８に示されるように、参照データを参照して選択された補正データが同じあっても、主走査方向における位置ごとに補正データの値が異なり、主走査方向における位置ごとに異なる値の補正データを用いて補正が施される。
これは、例えば光電変換部材２２０による読取では、レンズ等の光学系の影響で主走査方向における位置によって出力される画像信号のレベルが異なり、また、主走査方向における位置に応じて、透過部２６６が熱によって受ける影響が異なるため、主走査方向において同じ補正データを用いると、主走査方向における色の違いが生じる虞があるためである。
【００５３】
図９は、画像処理装置１０の動作を示すフローチャートである。
一連の制御が開始されると、ステップＳ１０において、例えば、図示を省略する操作パネル等のユーザインターフェイスからの入力に基づいて、ＣＰＵ３４０は、選択されたモードが、静止モードであるか否かを判別する。ここで、静止モードとは、プラテン部材１０６に静止した状態で置かれた原稿を読み取るモードである。静止モードが選択されていない場合、流し読みモードが選択されたとの判別される。ここで、流し読みモードとは、原稿搬送装置１６０によって搬送中の原稿を読み取るモードである。
【００５４】
ステップＳ１０で、静止モードが選択されているとの判別がなされた場合はステップＳ２０に進み、ステップＳ１０で静止モードが選択されていないとの判別がなされた場合は、ステップＳ１１０に進む。
【００５５】
ステップＳ１１０では、原稿搬送装置１６０によって搬送中の原稿から反射された光を読み取って生成された画像信号に基づいて画像形成をするように画像形成部１２が制御され、一連の制御が終了する。
【００５６】
ステップＳ２０では、ＣＰＵ３４０は、色補正回路３１０に、副走査側基準白色板１５２で反射された光に基づいて生成された画像データを参照データとして、この参照データと白の画像を形成する画像データとを比較し、両者に予め定められた値以上の差があるかどうかの監視を開始させる。
【００５７】
次のステップＳ３０では、原稿の読取が、原稿の後端部まで終了したか否かの判別がなされ、原稿の読み取りが終了したとの判別がなされた場合はステップＳ８０に進み、原稿の読み取りが終了していないとの判別がなされた場合は、ステップＳ４０に進む。
【００５８】
ステップＳ４０では、色補正回路３１０によって、副走査側基準白色板１５２で反射された光に基づいて生成された画像データを参照データとして、この参照データと白の画像を形成する画像データとを比較し、両者に予め定められた値以上の差があるかどうかが判別される。判別の結果、参照データと白の画像を形成する画像データとに予め定められた値以上の差がある場合はステップＳ５０に進み、両者に予め定められた以上の差がない場合は、ステップＳ３０に戻る。
【００５９】
ステップＳ５０では、参照データと白の画像を形成する画像データとの差に応じて、格納部３６０に格納された複数の補正データから、原稿から反射された光を読みって生成された画像データの補正に用いる補正データが選択され、選択された補正データが読み出される。
【００６０】
次のステップＳ６０では、ステップＳ５０で選択され、読み出された補正データを用いて、色補正回路３１０によって、原稿から反射された光を読みって生成された画像データが補正される。
【００６１】
次のステップＳ７０では、ステップＳ６０で色が補正された画像データに基づいて、画像を形成する。
【００６２】
次のステップＳ８０では、ＣＰＵ３４０は、色補正回路３１０に、副走査側基準白色板１５２で反射された光に基づいて生成された画像データを参照データと、白の画像を形成する画像データとに差があるかどうかの監視を終了させ、一連の制御が終了する。
【００６３】
図１０には、本発明の変形例に係る原稿読取装置１００が示されている。
本発明の実施形態に係る原稿読取装置１００（図３参照）では、ＬＥＤ照射ヘッド２５０と受光センサ２２６とが一体型となった読取ユニット２００が、原稿の読取りに際して移動するようになっていた。これに対して、この変形例に係る原稿読取装置１００は、受光センサ２６６は移動せず、ＬＥＤ照射ヘッド２５０と、複数のミラーがプラテン部材１０６の下部で移動する、所謂縮小光学型の原稿読取装置である。このような縮小光学型の原稿読取装置１００にも本発明を適用することができる。
【産業上の利用可能性】
【００６４】
以上で説明をしたように、本発明は原稿読取装置と、複写機、ファクシミリ装置、プリンタ等の画像処理装置に適用することができる。
【図面の簡単な説明】
【００６５】
【図１】本発明の実施形態に係る画像処理装置を示す側面である。
【図２】本発明の実施形態に係る原稿読取装置を示す側面図である。
【図３】本発明の実施形態に用いられる読取ユニットを示す側面図である。
【図４】本発明の実施形態に用いられるＬＥＤ照射ヘッドを示す側面図である。
【図５】本発明の実施形態に用いられるＬＥＤアレイを示す断面図である。
【図６】本発明の実施形態に用いられる原稿台を示す平面図である。
【図７】本発明の実施形態に係る原稿読取装置の構成を示すブロック図である。
【図８】本発明の実施形態に係る画像処理装置で用いられる補正データを説明する図である。
【図９】本発明の実施形態に係る画像処理装置の動作を示すフローチャートである。
【図１０】本発明の変形例に係る原稿読取装置を示す側面図である。
【符号の説明】
【００６６】
１０・・・画像処理装置
１２・・・画像形成部
１００・・・原稿読取装置
１５２・・・副走査側基準白色板
１６０・・・原稿搬送装置
２００・・・読取ユニット
２２０・・・光電変換部材
２５０・・・ＬＥＤ照射ヘッド
２６０・・・ＬＥＤチップ
２６２・・・発光部
２６６・・・透過部
３１０・・・色補正回路
３４０・・・ＣＰＵ
３６０・・・格納部
【図１】
2010079028.tif 000003
【図２】
2010079028.tif 000004
【図３】
2010079028.tif 000005
【図４】
2010079028.tif 000006
【図５】
2010079028.tif 000007
【図６】
2010079028.tif 000008
【図７】
2010079028.tif 000009
【図８】
2010079028.tif 000010
【図９】
2010079028.tif 000011
【図１０】
2010079028.tif 000012